(57)【要約】【課題】  洗車装置を節電・節水を図りながら営業開始時間に合わせてすぐさま洗車の受付ができる洗車装置を提案する点にある。【解決手段】  洗車の受付を可能とする営業開始時間を設定する設定手段２４と、洗車処理装置の解氷または暖機等を行う駆動手段３０と、該駆動手段による営業準備動作を行うか否かを選択する選択手段２４と、該選択手段２４で営業準備動作を行う選択がなされているとき、前記設定手段２４で設定された営業開始時間になる前に営業準備動作を実行する制御手段２６とを備えた。【選択図】図３
2005041320.tif 000002
【特許請求の範囲】
【請求項１】
門型に形成された洗車機本体内に、ブラシ，散水ノズル，ブロア等の洗車処理装置を備え、洗車機本体または自動車の走行に伴い、自動車車体の洗浄，乾燥等の処理を行う洗車機において、
洗車の受付を可能とする営業開始時間を設定する設定手段と、前記洗車処理装置の解氷または暖機等を行う駆動手段と、該駆動手段による営業準備動作を行うか否かを選択する選択手段と、該選択手段で営業準備動作を行う選択がなされているとき、前記設定手段で設定された営業開始時間になる前に営業準備動作を実行する制御手段とを備えたことを特徴とする洗車装置。
【請求項２】
前記設定手段で設定される営業開始時間までに前記駆動手段による営業準備動作を終了させるように、準備動作の開始時間を設定する手段を備えたことを特徴とする上記請求項１記載の洗車装置。
【発明の詳細な説明】
【技術分野】
【０００１】
本発明は、洗車場等に設置される洗車装置に関するものである。
【背景技術】
【０００２】
近年、作業員等をおかずに無人で営業する形態の洗車場が増えている。このような無人洗車場では、営業時間帯が設定され、営業時間外では洗車の受付が行えないように電源を切るようになっている。しかし、寒冷期の場合には、洗車装置の各洗車機器が凍結してしまう恐れがあるので、営業時間外でも電源を切らず外気温が設定温度以下に低下したら凍結防止処理を行うようにしている。
【０００３】
寒冷期の凍結防止処理としては、例えば門型洗車機に関して言うと、１．洗浄ブラシに残った水滴を空転させて飛ばす、２．散水管路中の残水をエアで吹き飛ばす、３．タンク内の水をヒータで保温する、４．走行レールをヒータで加温する、等が行われているが、これらの処理を洗車場が営業していない間も外気温が所定温度以下に低下するたびに行うことは、電気代などの経済的に好ましくない。特に、例示した凍結防止処理の中で、上記１や２に関しては、下記特許文献１に示すように、営業時間が終了した時点で凍結防止処理を行うことで対処できるものの、３や４に関しては営業時間外も継続してヒータを稼動させておく必要があり、たとえヒータ容量を可変してもランニングコストのアップは避けられない。
【０００４】
そこで、上記３や４に関しては、営業開始時間になったら解氷又は暖気を行うことも考えられるが、営業開始時間になってから凍結防止処理を行ったのでは、営業開始時間になっても洗車の受付ができないという問題がある。
【特許文献１】特開平８−１１９０７３号公報
【発明の開示】
【発明が解決しようとする課題】
【０００５】
本発明が解決しようとする課題は、無人洗車場における洗車装置を節電・節水を図りながら営業開始時間に合わせてすぐさま洗車の受付ができる洗車装置を提案する点にある。
【課題を解決するための手段】
【０００６】
本発明は、洗車の受付を可能とする営業開始時間を設定する手段と、前記洗車処理装置の解氷または暖機等を行う手段と、該動作手段による営業準備動作を行うか否かを選択する手段と、該選択手段で営業準備動作を行う選択がなされているとき、前記設定手段で設定された営業開始時間になる前に営業準備動作を実行する手段とを備えたものである。
【０００７】
また、設定手段で設定される営業開始時間までに動作手段による営業準備動作を終了させるように、準備動作の開始時間を設定する手段を備えたものである。
【発明の効果】
【０００８】
本発明の洗車装置は、任意に設定した営業開始時間の前に営業準備動作として凍結防止処理を行うようにしたので、営業時間外ではほとんど凍結防止処理を行うことなくなり、節電・節水によるランニングコストの低減が図られる。また、営業開始時間までに営業準備動作が終了するように各洗車機器の状態をチェックするタイミングを設定可能としたので、営業開始時間に合わせて洗車が実行できる状態に復帰し、設定した営業開始時間には確実に洗車の受付ができるようになる。
【発明を実施するための最良の形態】
【０００９】
無人営業による洗車場に設置される洗車装置の中で、凍結防止処理を必要とする洗車機器を備えた洗車装置である。
【実施例１】
【００１０】
図１は本発明の実施例の上面図、図２は本発明の実施例の側面図である。図において、１は自動車車体を跨ぐように門型状に形成した洗車機本体で、正転逆転可能な走行モータ４・４により、車輪２・２を回転駆動してレール３・３に沿って往復走行する。このレール３・３内には、レール３・３の凍結を防止すること及び凍結した場合の解氷を行うためのヒータ５・５が内蔵されている。
【００１１】
６は洗車機走行位置を検出するロータリーエンコーダで、モータ４の出力軸に連結し、モータ４の回転方向を検出しながら単位角度回転毎にパルス信号を出力して洗車機本体１の走行位置を与えている。７は洗車機位置を検出する位置センサ−で、洗車機本体１下部に設けられ、レール３敷設面に固定された突起物であるドッグ８を感知してスイッチングし、洗車機本体１の走行限界位置を与えている。尚、自動車進入側に対してレール３の後方部にあるドッグ８は、洗車機本体１の走行開始位置を与えるものである。
【００１２】
９は自動車の上面高さを検出する車形センサーで、洗車機本体１の前方部に互いが対面するように配設された発光部と受光部ｂとからなり、この発光部における上下方向に複数備えられた発光素子の光が、受光部における発光素子と対をなす同数の受光素子へ透光するか遮光するかによって自動車の上面位置を検出するものである。
【００１３】
１０は主に自動車の上面をブラッシングする上面洗浄ブラシ、１１は主に自動車の側面をブラッシングする側面洗浄ブラシ、１２・１３・１４はそれぞれ水を噴射する散水ノズル・洗剤を噴射する洗剤ノズル・ワックスを噴射するワックスノズル、１５は主に自動車の上面をブローする上面乾燥ノズル、１６は主に自動車の側面をブローする側面乾燥ノズルであり、洗車装置本体１の往復走行に伴って、車体の洗浄，乾燥等の処理を行う洗車処理装置を構成している。
【００１４】
１７は貯水槽で、洗車機本体１とは別体に床面に設置され、水源（図示しない）からの給水を常時一定水位で貯水し、内蔵したポンプ１７ａによって給水管路１８を通じて本体１に給水する。１９はエアタンクで、コンプレッサ（図示しない）と連通し、エア管路２０を通じて本体１に給圧する。２１は可倒式スタンドで、本体１の走行に伴い傾動し、給水管路１８，エア管路２０及び電源コード（図示しない）をガイドする。貯水槽１７内には、洗浄水を加熱するヒータ１７ｂと、温度センサ１７ｃが備えられており、貯水される水を営業時間中は所定温度に保温し、営業時間外は洗浄水の凍結防止手段、もしくは凍結時の解氷手段として機能する。給水管路１８には、エア管路２０から分岐した分岐エア管路２０’が電磁弁２２を介して接続されており、給水管路内の残水を排出する水抜き手段として機能する。
【００１５】
２３は外気温センサで、本体１の適宜位置に設けられ、営業中・停止中に関わらず常に周囲外気温を検出している。２４は操作パネルで、洗車機本体１の前面に設けられ、洗車機に動作の指示を与え、顧客が洗車コースの選択等を行う他、洗車場管理者が洗車機のメンテナンス作業を行うものである。３８は停止スイッチで、洗浄する自動車のタイヤが乗り入れられることで、所定位置に自動車が停車されたことを検出するものである。
【００１６】
図３は実施例の制御系を示すブロック図である。２５は制御部で、演算処理を行うＣＰＵ２６、プログラム及び各種データを記憶するメモリ２７、時計として動作するカレンダー時計２８、タイマー２９を備え、入出力インターフェース３０を介して、ロータリーエンコーダ６，位置センサー７，車形センサー９，温度センサ１７ｃ，外気温センサ２３，停止スイッチ３８の検出手段と、走行モータ４，レールヒータ５，上面洗浄ブラシ１０，側面洗浄ブラシ１１，上面乾燥ノズル１５，側面乾燥ノズル１６，ポンプ１７ａ，ヒータ１７ｂ，電磁弁２２の駆動手段と、操作パネル２４の操作手段とが接続されている。
【００１７】
操作パネル２４には、洗車機の操作ガイドなどを表示するＬＣＤ表示器３１、洗車コースを選択するコースキー３２、洗車を開始するスタートキー３３、洗車を中止するストップキー３４、テンキーを含む各種データの入力及び決定を行う選択キー３５、営業時間内で洗車料金を受け付け営業時間外ではコインの投入を禁止するコインメック３６、電源の入切・管理モード・運転モードを切り換えるキースイッチ３７を備えている。
【００１８】
この操作パネル２４では、キースイッチ３７で管理モードに切り替えることで、洗車機の営業開始時刻・営業終了時刻を設定したり、洗車処理装置の解氷或いは暖機を営業開始時刻の前に実行するか否かを選択したりすることができる。また、運転モードに切り替えるこで、通常の洗車受付が可能となり、顧客が希望する洗車を受け付け、洗車コースに沿って各洗車処理装置を実行することができる。
【００１９】
以下、本実施例における各モードの機能について説明する。
管理モードでは、キースイッチ３７を”管理”に合わせると、操作パネル２４のＬＣＤ表示器３１に図４（ａ）に示す管理メニュー画面が表示される。ここで、選択キー３５により”１”を入力すると、『１．営業時間設定』が選択され、ＬＣＤ表示器３１が図４（ｂ）の表示に切り替わる。この画面では、初期設定として営業開始時刻”９：００”、営業終了時刻”２０：３０”が表示されるので、選択キー３５により希望する営業開始時刻及び営業終了時刻に修正し、最後に”登録”を入力することでメモリ２７に記憶させることができる。
【００２０】
図４（ａ）の画面で選択キー３５により”２”を入力すると、『２．営業準備動作設定』が選択され、ＬＣＤ表示器３１が図４（ｃ）の表示に切り替わる。この画面では、営業準備動作を行うか否かの選択と、行う場合の準備動作を開始したい時刻の設定が行われる。準備動作を設定しない場合は”切”を選択し、設定する場合は”手動”又は”自動”を選択する。
【００２１】
準備動作を設定すると、営業準備動作を開始する時刻の設定に移る。準備動作の開始時刻は、営業開始時刻に洗車の受付が確実に行えるよう、準備動作に要する時間を見越して、営業開始時刻の１時間前に初期設定されており、これを基準として３時間前までの範囲で３０分単位で変更することができる。つまり、営業開始時間が午前９時の場合、午前８時から準備動作が開始されるように初期設定されており、午前６時までの範囲で３０分単位で変更できるのである。
【００２２】
手動を選択した場合は、設定した開始時刻までは完全に動作停止状態となるが、自動を選択した場合には、前記外気温センサ２３で検出される洗車機周辺の外気温や貯水槽１７の温度センサ１７ｃが、低温（氷点下）を検出した時に所定時間レールヒータ５や水槽ヒータ１７ｂを駆動して、準備動作が確実に営業開始時刻までに終了するように補助する動作を行う。尚、風速検出手段を設けて風速により異常環境を判断したり、外気温の時系列変化を捉えたり、カレンダーの日付により季節を把握したりして補助動作するようにしてもよい。また、ヒータの容量を可変自在にして営業時間外は低温時に通電量を少なくして所定時間加熱するようにしてもよい。
【００２３】
尚、図４（ａ）の管理メニュー画面で、”３”を入力すると、『３．メンテナンス』が選択され、各洗車処理装置の保守・点検を行うことができ、”４”を入力すると、『４．集計』が選択され、洗車台数や徴収料金の日計・月計などの集計を行うことができる。
【００２４】
次に、本実施例における運転モードでの動作を説明する。
キースイッチ３７を”運転”に合わせると、制御部２５では、カレンダー時計２８から現在時刻を読みだし、営業中か否かを判断する（１）。営業時間中であれば、ＬＣＤ表示部３１で洗車受付中を意味する”洗車受付中”等の表示を行い、コインメック３６からのコイン投入を受け付ける（２）。停止スイッチ３８で自動車の停車が確認された状態でコイン投入があると、投入された金額に応じて選択可能な洗車コースが示され、希望する洗車コースをコースキー３２で選び、スタートキー３３を入力することで洗車が実行されるのである（３）。営業時間中は、外気温センサ２３により周囲温度が監視され（４）、外気温が所定温度ｔ（ここでは５℃）以下に低下したことを検出すると、レールの凍結による本体のスリップ事故を防止するため、レールヒータ５に通電する（５）。また、外気温が温度ｔ以下の環境下で前の洗車から所定時間経っても次の洗車が行われない場合、ブラシの水切りと給水管路内の水抜きを行うとよい。
【００２５】
営業終了時刻になったら（６）、制御部２５は、コインメック３６のコインブロック機能を作動してコインの投入を禁止し、ＬＣＤ表示器３１の表示をクリアして各操作キー３２〜３４の受付を禁止して洗車受付終了となる（７）。その後、制御部２５は、終業処理として営業時間外の凍結を防止するために、各洗浄ブラシ１０，１１の水切りと、給水管路内の水抜きを実行する（８）。尚、このような終業処理は、外気温に基づいて実行するようにしても良いが、ブラシ保護や管路内を衛生に保つ等の観点から季節や周囲環境に関係なく実行するとよい。
【００２６】
営業時間外は、動作停止状態となるが、営業準備設定がなされている場合、手動設定では現在時刻の監視が、自動設定では現在時刻と外気温が監視される（９）。手動設定について説明すると、カレンダー時計２８からの時刻が準備動作開始時刻になったら、準備動作を開始する（１０）。準備動作は、営業開始前に各洗車処理装置を正常に使用できる状態に復帰させるために解氷・暖気を行うものであり、ここでは、レールの解氷、貯水槽内の洗浄水の加温、散水ノズル及びブラシの暖機を実行する。自動設定の場合は、外気温が低く（例えば氷点下）なると、予め設定された準備動作開始時刻になる前でも、レール及び水槽内の暖機を所定時間行うのである。
【００２７】
営業開始時刻になったら（１１）、コインメック３６のコインブロック機能を解除してコインの投入を許可し、ＬＣＤ表示器３１には洗車受付中を表示して、洗車受付状態の前記処理（２）に戻る。
【００２８】
このように本実施例では、営業の開始時間前に、準備動作を行うための準備動作開始時間が設定されるので、営業時間外にヒータなどを通電しっぱなしする必要がなく節電が図られ、しかも営業開始までには確実に使用可能状態に復帰させることができるのである。
【産業上の利用可能性】
【００２９】
営業時間帯が設定された無人のコイン洗車場に設置され、冬期などに凍結の可能性がある環境での使用に対し、装備される洗車処理装置が凍結した場合であっても営業開始時間には正常の状態に復帰させることができる洗車装置。
【図面の簡単な説明】
【００３０】
【図１】本発明の洗車装置を示す正面図である。
【図２】同装置の側面図である。
【図３】同装置の制御系を示すブロック図である。
【図４】同装置の管理モードでの表示例を示す説明図である。
【図５】同装置の運転モードでの動作を示すフローチャート図である。
【符号の説明】
【００３１】
１    洗車機本体
５    レールヒータ
１７ｂ    水槽ヒータ
２４    操作パネル
２５    制御部
３５    選択キー
３７    キースイッチ
【図１】
2005041320.tif 000003
【図２】
2005041320.tif 000004
【図３】
2005041320.tif 000005
【図４】
2005041320.tif 000006
【図５】
2005041320.tif 000007